(57)【要約】【課題】製造誤差等により二枚の壁パネルの厚みがそれぞれ異っていても、防水機能を果たす。【解決手段】壁パネルの接続構造は、一方向に並ぶ少なくとも二枚の壁パネル１２と、前記二枚の壁パネル１２の端部間に形成された目地１３を塞ぐガスケット２０と、前記目地１３において前記ガスケット２０よりも前記壁パネル１２の裏面側に設けられた水受け２２と、二枚の壁パネル１２の裏面側に設けられ、目地１３を跨る板部材２８と、前記板部材２８に対して前記壁パネル１２の面外方向に移動可能に固定されるとともに、移動により水受け２２を板部材２８に固定する固定部材２６と、を備える。【選択図】図２
2020029747.tif 000002
【特許請求の範囲】
【請求項１】
一方向に並ぶ少なくとも二枚の壁パネルと、
前記二枚の壁パネルの端部間に形成された目地を塞ぐガスケットと、
前記目地において前記ガスケットよりも前記壁パネルの裏面側に設けられた水受けと、
前記二枚の壁パネルの裏面側に設けられ、前記目地を跨る板部材と、
前記板部材に対して前記壁パネルの面外方向に移動可能に固定されるとともに、移動により前記水受けを前記板部材に固定する固定部材と、
を備える壁パネルの接続構造。
【請求項２】
前記水受けは、前記壁パネルの面外方向に穴部を有し、
前記固定部材は、移動により前記穴部に挿入されることで前記水受けを前記板部材に固定する、
請求項１に記載の壁パネルの接続構造。
【請求項３】
前記固定部材はボルトであり、
前記ボルトの先端には、前記ボルトのネジ部に比べて拡径され、前記穴部に嵌合される拡径部が設けられている、
請求項２に記載の壁パネルの接続構造。
【請求項４】
前記ボルトの頭部が、前記壁パネルの裏面側に露出している、
請求項３に記載の壁パネルの接続構造。
【請求項５】
前記穴部は、前記水受けから突出する突出部に形成され、
前記ガスケットにおける前記壁パネルの裏面側には、前記突出部が挿入されて固定される開口部が設けられている、
請求項２乃至４の何れか１項に記載の壁パネルの接続構造。
【請求項６】
前記ガスケットの二つの側面には溝部が設けられ、
各溝部には、前記二枚の壁パネルの端部からそれぞれ突出する爪部が係止される、
請求項１乃至５の何れか１項に記載の壁パネルの接続構造。
【請求項７】
前記二枚の壁パネルの裏面にそれぞれボルトを介して取り付けられ、前記板部材とともに建築物の躯体の一部を挟み込む挟み込み部材、
を更に備える請求項１乃至６の何れか１項に記載の壁パネルの接続構造。
【請求項８】
前記板部材には、前記目地に向かって突出する凸部が設けられている、
請求項１乃至７の何れか１項に記載の壁パネルの接続構造。
【発明の詳細な説明】
【技術分野】
【０００１】
本発明は、壁パネルの接続構造に関する。
【背景技術】
【０００２】
従来から、屋内に雨水が進入することを防止するために、二枚の壁パネルの端部間に形成された目地を塞ぐガスケットを備える壁パネルの接続構造が知られている。
【０００３】
これに関し、特許文献１には、第一防水片（ガスケット）だけでなく、二枚の壁パネルから突出された支持片を前後方向に重なり合うように配置することで構成される第二防水片を備える技術が開示されている。
【先行技術文献】
【特許文献】
【０００４】
【特許文献１】特開２００６−１８８８９７号公報
【発明の概要】
【発明が解決しようとする課題】
【０００５】
しかしながら、特許文献１に記載の技術では、製造誤差等により二枚の壁パネルの厚みがそれぞれ異なる場合、支持片が上手く重なり合わず、第二防水片の防水機能が機能しなくなる恐れがある。
【０００６】
本発明はこのような課題に鑑みてなされたものであり、その目的は、製造誤差等により二枚の壁パネルの厚みがそれぞれ異っていても、防水機能を果たすことができる壁パネルの接続構造を提供することにある。
【課題を解決するための手段】
【０００７】
上記課題を解決するために、本発明の第一態様に係る壁パネルの接続構造は、一方向に並ぶ少なくとも二枚の壁パネルと、前記二枚の壁パネルの端部間に形成された目地を塞ぐガスケットと、前記目地において前記ガスケットよりも前記壁パネルの裏面側に設けられた水受けと、前記二枚の壁パネルの裏面側に設けられ、前記目地を跨る板部材と、前記板部材に対して前記壁パネルの面外方向に移動可能に固定されるとともに、移動により前記水受けを前記板部材に固定する固定部材と、を備える。
【０００８】
この構成によれば、製造誤差等により二枚の壁パネルの厚みがそれぞれ異っていても、固定部材の位置を移動により調整することで、水受けを板部材と固定し、ひいては壁パネルと固定することができるので、防水機能、特に水受けの防水機能を果たすことができる。
【０００９】
本発明の第二態様に係る壁パネルの接続構造では、前記水受けは、前記壁パネルの面外方向に穴部を有し、前記固定部材は、移動により前記穴部に挿入されることで前記水受けを前記板部材に固定する。
【００１０】
この構成によれば、簡単な構成で、水受けを板部材に固定することができる。
【００１１】
本発明の第三態様に係る壁パネルの接続構造では、前記固定部材はボルトであり、前記ボルトの先端には、前記ボルトのネジ部に比べて拡径され、前記穴部に嵌合される拡径部が設けられている。
【００１２】
この構成によれば、水受けを板部材に確実に固定することができる。
【００１３】
本発明の第四態様に係る壁パネルの接続構造では、前記ボルトの頭部が、前記壁パネルの裏面側に露出している。
【００１４】
この構成によれば、屋内側から施工ができ、もって外部足場を省略することができる。
【００１５】
本発明の第五態様に係る壁パネルの接続構造では、前記穴部は、前記水受けから突出する突出部に形成され、前記ガスケットにおける前記壁パネルの裏面側には、前記突出部が挿入されて固定される開口部が設けられている。
【００１６】
この構成によれば、簡単な構成で、ガスケットと水受けとを固定することができる。
【００１７】
本発明の第六態様に係る壁パネルの接続構造では、前記ガスケットの二つの側面には溝部が設けられ、各溝部には、前記二枚の壁パネルの端部からそれぞれ突出する爪部が係止される。
【００１８】
この構成によれば、簡単な構成で、ガスケットと二枚の壁パネルとを固定することができる。また、屋内側から施工ができ、もって外部足場を省略することができる。
【００１９】
本発明の第七態様に係る壁パネルの接続構造では、前記二枚の壁パネルの裏面にそれぞれボルトを介して取り付けられ、前記板部材とともに建築物の躯体の一部を挟み込む挟み込み部材、を更に備える。
【００２０】
この構成によれば、建築物の躯体に不陸があっても、ボルトで調整することにより、その不陸を吸収することができる。
【００２１】
本発明の第八態様に係る壁パネルの接続構造では、前記板部材には、前記目地に向かって突出する凸部が設けられている。
【００２２】
この構成によれば、凸部が目地に入ることで、板部材の位置決めを容易にすることができる。
【発明の効果】
【００２３】
本発明によれば、製造誤差等により二枚の壁パネルの厚みがそれぞれ異っていても、防水機能を果たすことができる。
【図面の簡単な説明】
【００２４】
【図１】本発明の実施形態に係る壁パネルの接続構造の一例を示す図である。
【図２】図１に示す壁パネル間の拡大断面図である。
【発明を実施するための形態】
【００２５】
以下、添付図面を参照しながら本発明の複数の実施形態について説明する。説明の理解を容易にするため、各図面において同一の構成要素及びステップに対しては可能な限り同一の符号を付して、重複する説明は省略する。
【００２６】
図１は、本発明の実施形態に係る壁パネルの接続構造の一例を示す図である。
【００２７】
図１に示すように、本発明の実施形態に係る壁パネルの接続構造１０は、例えば、少なくとも二枚の壁パネル１２と、挟み込み部材１４と、ボルト１６と、躯体１８と、ガスケット２０と、防水テープ２１と、水受け２２と、固定部２４と、板部材２８と、スプリング３０と、を備える。
【００２８】
二枚の壁パネル１２は、一方向に並んで配置されている。壁パネル１２は、外部に露出する表面１２Ａと、躯体１８と対向する裏面１２Ｂを有する。壁パネル１２には、当該壁パネル１２の端部から面内方向に突出したクランク状の爪部１２Ｃを有する。壁パネル１２としては、建築用の壁パネルであれば特に限定されないが、例えば、断熱パネルや、耐火パネル、外壁パネル、間仕切壁パネル、屋根パネル等が挙げられる。二枚の壁パネル１２の端部間には、目地１３が形成されている。
【００２９】
挟み込み部材１４は、二枚の壁パネル１２の裏面１２Ｂにそれぞれ取り付けられ、板部材２８とともに躯体１８の一部（Ｌ字型鉄骨１８Ａ）を挟み込んで、二枚の壁パネル１２及び板部材２８を躯体１８に固定する部材である。
【００３０】
ボルト１６は、挟み込み部材１４を壁パネル１２の裏面１２Ｂに取り付けるための部材である。ボルト１６のネジ込み量により、鉄骨１８の不陸を吸収することができる。
【００３１】
躯体１８は、建築物の躯体であり、例えば、二つのＬ字型鉄骨１８Ａと、コ字型鉄骨１８Ｂと、Ｈ字型鉄骨１８Ｃと、を有する。これらの配置は特に限定されないが、コ字型鉄骨１８Ｂの背面が壁パネル１２に対向するとともに、当該コ字型鉄骨１８Ｂが、二つのＬ字型鉄骨１８Ａの間に配置され、コ字型鉄骨１８Ｂの先端側にＨ字型鉄骨１８Ｃが配置されている。
【００３２】
図２は、図１に示す壁パネル間の拡大断面図である。
【００３３】
ガスケット２０は、二枚の壁パネル１２の端部間に形成された目地１３に設けられ、当該目地１３を塞ぐ部材である。このガスケット２０は、目地方向に沿って長く形成されている。ガスケット２０の素材は特に限定されないが、本実施形態では、ゴムである。また、ガスケット２０の形状は特に限定されないが、本実施形態では、略コ字状に形成されている。そして、ガスケット２０の先端部が、壁パネル１２の裏面側に向かっている。ガスケット２０の二つの先端部側面にはそれぞれ溝部２０Ａが設けられている。各溝部２０Ａには、二枚の壁パネル１２の爪部１２Ｃが係止される。これにより、ガスケット２０が二枚の壁パネル１２に固定される。ガスケット２０における壁パネル１２の裏面１２Ｂ側、言い換えれば、ガスケット２０の先端部の間には開口部２０Ｂが設けられている。この開口部２０Ｂは、入口側が狭く、奥側が広くなるように形成されている。
【００３４】
防水テープ２１は、ガスケット２０と水受け２２の間に形成される空間を塞ぐように、水受け２２の先端部と爪部１２Ｃとの間に配置されている。
【００３５】
水受け２２は、目地１３においてガスケット２０よりも壁パネル１２の裏面１２Ｂ側に設けられている。この水受け２２は、例えば凹状に形成され、ガスケット２０の底面及び両側面を覆っている。水受け２２の底面中央部には、水受け２２の底面から壁パネル１２の面外方向、すなわちガスケット２０に向かって突出する突出部２２Ａが設けられている。突出部２２Ａの先端部には、拡径された拡径部２２Ｂが設けられている。突出部２２Ａの一部、特に当該拡径部２２Ｂは、ガスケット２０の開口部２０Ｂに挿入されることで、水受け２２とガスケット２０が固定される。また、突出部２２Ａには、壁パネル１２の面外方向に沿って穴部２２Ｃが形成されている。この穴部２２Ｃは、入口側が狭く、奥側が広くなるように形成されている。
【００３６】
固定部２４は、水受け２２と二枚の壁パネル１２を固定する。この固定部２４は、固定部材としてのボルト２６と、板部材２８と、を備える。
【００３７】
ボルト２６は、板部材２８に対して壁パネル１２の面外方向に移動可能に固定されるとともに、移動により穴部２２Ｃに挿入されることで水受け２２を板部材２８に固定する。このボルト２６は、頭部２６Ａと、ネジ部２６Ｂと、拡径部２６Ｃと、で形成されている。頭部２６Ａは、壁パネル１２の裏面側に露出している。ネジ部２６Ｂは、頭部２６Ａと拡径部２６Ｃの間に配置されている。拡径部２６Ｃは、ボルト２６の先端に設けられており、ネジ部２６Ｂに比べて拡径され、穴部２２Ｃに嵌合される。
【００３８】
板部材２８は、二枚の壁パネル１２の裏面側に設けられ、二枚の壁パネル１２の端部間の目地１３を跨っている。板部材２８の中央部には、目地１３に向かって突出する凸部２８Ａが設けられている。凸部２８Ａにはネジ穴２８Ｂが形成されている。ネジ穴２８Ｂには、壁パネル１２の裏面側からボルト２６が挿入され、そのネジ部２６Ｂが螺合される。
【００３９】
スプリング３０は、板部材２８と水受け２２との間に設けられている。
【００４０】
以上、本実施形態によれば、一方向に並ぶ少なくとも二枚の壁パネル１２と、二枚の壁パネル１２の端部間に形成された目地１３を塞ぐガスケット２０と、目地１３においてガスケット２０よりも壁パネル１２の裏面側に設けられた水受け２２と、二枚の壁パネル１２の裏面側に設けられ、目地１３を跨る板部材２８と、板部材２８に対して壁パネル１２の面外方向に移動可能に固定されるとともに、移動により水受け２２を板部材２８に固定する固定部材２６と、を備える。
【００４１】
この構成によれば、二枚の壁パネル１２の厚みがそれぞれ異っていても、固定部材２６の位置を移動により調整することで、水受け２２を板部材２８と固定し、ひいては壁パネル１２と固定することができるので、防水機能、特に水受け２２の防水機能を果たすことができる。また、板部材２８を備えることで、防水機能を更に向上することができる。
【００４２】
また、本実施形態では、水受け２２は、壁パネル１２の面外方向に穴部２２Ｃを有し、固定部材２６は、移動により穴部２２Ｃに挿入されることで水受け２２を板部材２８に固定する。また、一度、固定部材２６を穴部２２Ｃに入れた後、固定部材２６を適宜移動すると、水受け２２も一緒に移動できるので、躯体１８に不陸があっても、その不陸を調整・吸収することができる。
【００４３】
この構成によれば、簡単な構成で、水受けを板部材２８に固定することができる。
【００４４】
また、本実施形態では、固定部材２６はボルトであり、ボルト２６の先端には、ボルト２６のネジ部２６Ｂに比べて拡径され、穴部２２Ｃに嵌合される拡径部２６Ｃが設けられている。
【００４５】
この構成によれば、水受け２２を板部材２８に確実に固定することができる。
【００４６】
また、本実施形態では、ボルト２６の頭部２６Ａが、壁パネル１２の裏面側に露出している。
【００４７】
この構成によれば、屋内側から施工ができ、もって外部足場を省略することができる。
【００４８】
また、本実施形態では、穴部２２Ｃは、水受け２２から突出する突出部２２Ａに形成され、ガスケット２０における壁パネル１２の裏面側には、突出部２２Ａが挿入されて固定される開口部２０Ｂが設けられている。
【００４９】
この構成によれば、簡単な構成で、ガスケット２０と水受け２２とを固定することができる。
【００５０】
また、本実施形態では、ガスケット２０の二つの側面には溝部２０Ａが設けられ、各溝部２０Ａには、二枚の壁パネル１２の端部からそれぞれ突出する爪部１２Ｃが係止される。
【００５１】
この構成によれば、簡単な構成で、ガスケット２０と二枚の壁パネル１２とを固定することができる。また、屋内側から施工ができ、もって外部足場を省略することができる。
【００５２】
また、本実施形態では、二枚の壁パネル１２の裏面にそれぞれボルト１６を介して取り付けられ、板部材２８とともに建築物の躯体１８の一部を挟み込む挟み込み部材１４を更に備える。
【００５３】
この構成によれば、建築物の躯体１８に不陸があっても、ボルト１６で調整することにより、その不陸を調整・吸収することができる。
【００５４】
本発明の第七態様に係る壁パネル１２の接続構造では、板部材２８には、目地１３に向かって突出する凸部２８Ａが設けられている。
【００５５】
この構成によれば、凸部２８Ａが目地１３に入ることで、板部材２８の位置決めを容易にすることができる。
【００５６】
なお、本発明は上記の具体例に限定されるものではない。すなわち、上記の具体例に、当業者が適宜設計変更を加えたものも、本発明の特徴を備えている限り、本発明の範囲に包含される。また、前述した実施形態及び後述する変形例が備える各要素は、技術的に可能な限りにおいて組み合わせることができ、これらを組み合わせたものも本発明の特徴を含む限り本発明の範囲に包含される。
【００５７】
例えば、上記実施形態では、水受け２２に穴部２２Ｃを設ける場合を説明したが、穴部２２Ｃを設ける代わりに、マグネットを設けてもよい。また、穴部２２Ｃを設ける代わりに、接着シートを設けてもよい。
【００５８】
また、上記実施形態では、突出部２２Ａがガスケット２０側に突出する場合を説明したが、板部材２８側に突出してもよい。
【００５９】
また、上記実施形態では、固定部材２６はボルトである場合を説明したが、棒部材であってもよい。
【符号の説明】
【００６０】
１０…接続構造
１２…壁パネル
２０…ガスケット
２６…固定部材（ボルト）
２８…板部材
【図１】
2020029747.tif 000003
【図２】
2020029747.tif 000004
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
一方向に並ぶ少なくとも二枚の壁パネルと、
前記二枚の壁パネルの端部間に形成された目地を塞ぎ、裏面側に開口部が形成されたガスケットと、
前記目地において前記ガスケットよりも前記壁パネルの裏面側に設けられ、底面から前記ガスケットに向かって突出する突出部を有する水受けと、
前記二枚の壁パネルの裏面側に設けられ、前記目地を跨る板部材と、
前記板部材に対して前記壁パネルの面外方向に移動可能に固定されるとともに、移動により前記水受けを前記板部材に固定する固定部材と、
を備え、
前記突出部の先端には前記開口部に挿入される拡径部が設けられ、前記突出部には、前記底面から前記拡径部に亘って穴部が形成され、
前記固定部材は、移動により前記拡径部の穴部まで挿入されることで前記水受けを前記板部材に固定する、
壁パネルの接続構造。
【請求項２】
前記拡径部を第一拡径部としたとき、
前記固定部材はボルトであり、
前記ボルトの先端には、前記ボルトのネジ部に比べて拡径され、前記第一拡径部の穴部に嵌合される第二拡径部が設けられている、
請求項１に記載の壁パネルの接続構造。
【請求項３】
前記ボルトの頭部が、前記壁パネルの裏面側に露出している、
請求項２に記載の壁パネルの接続構造。
【請求項４】
前記ガスケットの二つの側面には溝部が設けられ、
各溝部には、前記二枚の壁パネルの端部からそれぞれ突出する爪部が係止される、
請求項１乃至３の何れか１項に記載の壁パネルの接続構造。
【請求項５】
前記二枚の壁パネルの裏面にそれぞれボルトを介して取り付けられ、前記板部材とともに建築物の躯体の一部を挟み込む挟み込み部材、
を更に備える請求項１乃至４の何れか１項に記載の壁パネルの接続構造。
【請求項６】
前記板部材には、前記目地に向かって突出する凸部が設けられている、
請求項１乃至５の何れか１項に記載の壁パネルの接続構造。